(57)【特許請求の範囲】
【請求項１】
積層された複数の配線層で構成される少なくとも一つの超伝導集積回路と、
前記配線層の少なくとも何れかの一つの層と層間接続されたグランド面と、
前記超伝導集積回路にバイアス電流を供給するバイアス電流供給パッドと、
前記グランド面からバイアス戻り電流を引き抜くバイアス電流引き抜きパッドと、
前記バイアス電流供給パッドと前記超伝導集積回路を構成する配線層との間は電気的に接続され、前記バイアス電流供給パッドから前記超伝導集積回路にバイアス電流を供給するバイアス電流供給線と、
前記バイアス電流引き抜きパッドと、前記グランド面又はグランド面と層間接続された配線層との間は電気的に接続され、前記グランド面からバイアス戻り電流を引き抜くバイアス電流引き抜き線とを備え、
前記バイアス電流供給線による前記超伝導集積回路への前記バイアス電流の供給、及び前記バイアス電流引き抜き線による前記グランド面からの前記バイアス戻り電流の引き抜きは、前記超伝導集積回路および前記グランド面を平面視した際に同一点で行われ、
前記バイアス電流供給線とバイアス電流引き抜き線とは同じ配線幅であり、積層方向において重なる位置で対向配置されることを特徴とする、超伝導集積回路装置。
【請求項２】
前記バイアス電流供給パッド及び前記バイアス電流引き抜きパッドは積層され、バイアス電流供給パッドのバイアス電流を供給する面と、バイアス電流引き抜きパッドのバイアス戻り電流を引き抜く面は、積層方向において重なる位置で対向配置されることを特徴とする、請求項１に記載の超伝導集積回路装置。
【請求項３】
前記バイアス電流引き抜きパッドは、引き抜いたバイアス戻り電流を接続されたボンディング配線を介して導出するボンディング部分を備え、
前記ボンディング部分は、前記バイアス戻り電流を引き抜く面と平面方向で位置をずらして配置されることを特徴とする、請求項１又は２に記載の超伝導集積回路装置。
【請求項４】
前記バイアス電流引き抜きパッドは、前記バイアス戻り電流を引き抜く面を挟んで両側に配置される二つのボンディング部分を備え、
前記二つのボンディング部分は、対向する前記グランド面の対向辺に沿って配置されることを特徴とする、請求項３に記載の超伝導集積回路装置。
【請求項５】
前記バイアス電流供給パッド及び前記バイアス電流引き抜きパッドは、
積層方向において前記グランド面と重ならない位置に配置されることを特徴とする、請求項１から４の何れか一つに記載の超伝導集積回路装置。
【請求項６】
前記グランド面は、前記バイアス電流供給パッド及び前記バイアス電流引き抜きパッドと平面方向で対向する辺に凹形状の縁部を備え、
前記バイアス電流供給パッド及び前記バイアス電流引き抜きパッドは、平面方向において前記凹形状の内側に配置されることを特徴とする、請求項５に記載の超伝導集積回路装置。
【請求項７】
前記グランド面は、前記バイアス電流供給パッド及び前記バイアス電流引き抜きパッドと平面方向で対向する辺に直線形状の縁部を備え、
前記バイアス電流供給パッド及び前記バイアス電流引き抜きパッドは、平面方向において前記直線形状の縁部に沿って配置されることを特徴とする、請求項５に記載の超伝導集積回路装置。
【請求項８】
前記バイアス電流供給パッドとボンディング配線で接続されるバイアス電源パッドと、
前記バイアス電流引き抜きパッドとボンディング配線で接続されるグランドパッドとを備え、
前記バイアス電源パッド及び前記グランドパッドは、積層方向において前記グランド面と重ならない位置に配置されることを特徴とする、請求項１から７に何れか一つに記載の超伝導集積回路装置。
【請求項９】
前記バイアス電流供給パッドとボンディング配線で接続されるバイアス電源パッドと、
前記バイアス電流引き抜きパッドとボンディング配線で接続されるグランドパッドと、を備え、
前記グランドパッドは分離した二つのパッドを同一平面上に備え、
前記グランドパッドの二つのパッド及び前記バイアス電源パッドは、対向する前記グランド面の対向辺に沿って配置され、前記グランドパッドの二つのパッドは前記バイアス電源パッドを挟んで両側に配置されることを特徴とする、請求項４に記載の超伝導集積回路装置。
【請求項１０】
前記二つのグランドパッドは、超伝導集積回路と前記バイアス電流供給パッド及び前記バイアス電流引き抜きパッドとを接続するバイアス配線の軸方向に対して対称に配置され、グランド面からのバイアス戻り電流をバイアス配線の軸方向に対して対称に振り分けることを特徴とする、請求項９に記載の超伝導集積回路装置。
【発明の詳細な説明】
【技術分野】
【０００１】
本願発明は、超伝導集積回路装置に関し、超伝導集積回路に対するバイアス電流の供給および引き抜きに関する。
【背景技術】
【０００２】
超伝導集積回路として、超伝導を用いた単一磁束量子回路（ＳＦＱ回路）（非特許文献１）や、断熱型磁束量子パラメトロン回路（ＡＱＦＰ回路）（非特許文献２）が知られている。超伝導集積回路は、例えば、超伝導集積回路によってプロセッサやＤＳＰなどのディジタル集積回路の他、超伝導集積回路によってＡ／Ｄコンバータ回路やＤ／Ａコンバータや電圧標準回路などのミックスドシグナル集積回路等を構成することができる。
【０００３】
超伝導集積回路では、磁束量子が情報の媒体として用いられ、論理演算や記憶等の信号処理が低消費電力でかつ高速で行われる。超伝導集積回路において、配線には直流抵抗がゼロの超伝導配線が用いられ、論理・記憶素子の論理ゲートを構成するスイッチ素子としてジョセフソン接合が用いられる。
【０００４】
超伝導集積回路では、配線のインダクタンスを低減させたり、論理・記憶素子間において不要な磁気的な結合を低減させるために、グランド面（ＧＰ：グランドプレーン）と呼ばれる超伝導の接地面が超伝導集積回路の下面または上面、あるいは上下両面に設けられる。論理ゲートを構成するほとんどのジョセフソン接合の一端はグランド面に接続され、ジョセフソン接合は超伝導の配線およびグランド面と共に超伝導ループを構成する。
【０００５】
超伝導集積回路にはバイアス電流が供給される。バイアス電流は、超伝導集積回路の論理ゲートに供給された後、各論理ゲートに共通する超伝導のグランド面に流れる。グランド面に流れたバイアス電流は、グランド面から超伝導集積回路の回路外に引き抜かれ、電源側に戻される。
【０００６】
図２１は超伝導集積回路の概略構成を示している。超伝導集積回路１１０内の論理ゲートやアナログ回路等の回路要素１１５には、超伝導配線からなる直流バイアス電源線１１３からバイアス電流が供給され、バイアス引き抜き電源線１１４を通してバイアス戻り電流が電源側に戻される（特許文献１）。
【０００７】
また、超伝導のグランド面は、バイアス引き抜き電源線を形成すると共に、距離が離れた論理ゲート間の信号伝達を行うマイクロストリップラインやストリップラインなどの伝送線路のグランドを形成している。
【先行技術文献】
【特許文献】
【０００８】
【特許文献１】特開２０１３−５８９９７号
【非特許文献】
【０００９】
【非特許文献１】K.K.Likharev and V.K.Semenov, "RSFQ Logic/Memory Family:A New Josephson-Junction Technology for Sub-Terahertz-Clock-Frequency Digital Systems," IEEE Trams.Appl.Supercond,Vol.1,MARCH 1991.
【非特許文献２】N. Takeuchi, D. Ozawa, Y. Yamanashi, and N. Yoshikawa, "An adiabatic quantum flux parametron as an ultra-low-power logic device," Supercond. Sci. Technol., vol. 26, no. 3, p. 035010, Mar. 2013.
【非特許文献３】H. Terai etal.  "Signal integrity in large-scale single-flux-quantum circuit", Physica C 445-448 (2006) 1003-1007.
【非特許文献４】S. Nagasawa, Y. Hashimoto, H. Numata, S. Tahara, "A 380ps 9.5mW Josephson 4-Kbit RAM Operated at a high Bit Yield", IEEE Trans.Appl. Supercond. 5 (1995) 2447.
【非特許文献５】J. H. Kang and S. B. Kaplan, "Current Recycling and SFQ Signal Transfer in Large Scale RSFQ Circuits," IEEE Trans. Appl. Supercond., Vol. 13, No. 2, June 2003.
【発明の概要】
【発明が解決しようとする課題】
【００１０】
通常、超伝導集積回路では論理ゲートや記憶セルを構成するほとんどのジョセフソン接合の一端がグランド面に接続されており、外部電源から供給されたバイアス電流はジョセフソン接合の端部からグランド面に流れ、最終的には超伝導集積回路外の外部電源に戻ることにより閉回路を形成している。
【００１１】
図２２に示す例では、超伝導集積回路のチップのグランド接続は、グランド面１１２の四隅のバイアス電流引き抜きパッド１２４ａ〜１２４ｄとパッケージ１３０側のグランドパッド１３２ａ〜１３２ｄとの接続によって行われる。この例においてはパッケージのグランドパッド１３２ａ〜１３２ｄは低抵抗で共通のグランドとして電気的に接続され、またバイアス電源の一端も共通グランドとして接続された構成とするのが一般的である。その場合には、バイアス電流の引き抜きを行うのではなく、バイアス戻り電流がグランドに流れると解釈することができる。特に複数のバイアス電源からバイアス電流を供給する場合においては，グランドパッド１３２ａ〜１３２ｄを通して全てのバイアス電流が戻ることになる。
【００１２】
図２２において、バイアス電流供給パッド１２２に向かって戻ったバイアス戻り電流は、図中の破線で示す様に、グランド面１１２を四隅のバイアス電流引き抜きパッド１２４ａ〜１２４ｄに向かって流れる。バイアス戻り電流は、バイアス電流供給パッド１２２からバイアス電流引き抜きパッド１２４ａ〜１２４ｄに流れる際にグランド面１１２を流れる。バイアス戻り電流は超伝導集積回路のグランド面１１２において広がって流れ、超伝導集積回路１１０に不要磁場を形成する。ここで、不要磁場とは超伝導集積回路の論理・記憶素子の動作に悪影響を与える磁場であって望ましくない磁場を意味する。
【００１３】
超伝導集積回路は磁場に対して敏感であり、グランド面を流れる電流が作る磁場が超伝導集積回路内の超伝導回路に与える影響が無視できない。これまで、グランド面を流れる電流による磁場を軽減するために、バイアス電流供給用のパッドに隣接させてバイアス電流引き抜き用のパッドを設け、このバイアス電流引き抜き用のパッドからバイアス電流を引き抜く構成が提案され使用されている（非特許文献３）。
【００１４】
図２３は、超伝導集積回路へのバイアス電流と、グランド面のバイアス戻り電流を説明するための図であり、超伝導集積回路にバイアス電流を供給し引き抜きをする際の一般的な概略図である。図２３では、パッケージに載置された超伝導集積回路のチップに対して、ワイヤーボンディングのボンディング接続によってバイアス電流を供給する例を示している。
【００１５】
図２３（ａ）は超伝導集積回路とパッドとの関係を示し、グランド面１１２のバイアス戻り電流の影響を低減化するために、バイアス電流供給パッド１２２に隣接してバイアス電流引き抜きパッド１２４を設け、バイアス電流引き抜きパッド１２４からバイアス戻り電流を引き抜く構成例を示している。図２３（ｂ）は超伝導集積回路チップとパッド配置の構成例を示し、必要に応じて複数のパッドからバイアス電流を供給する場合を示している。なお、ここでは、超伝導集積回路のチップは同一基板上に形成された複数の超伝導集積回路（要素回路ブロック）により構成される。なお、複数の超伝導集積回路（要素回路ブロック）から構成された全体の回路も総称して超伝導集積回路としている。
【００１６】
超伝導集積回路チップ１１１のグランド面１１２上には、超伝導集積回路１１０、バイアス電流を超伝導集積回路１１０に供給するためのバイアス電流供給線１２１およびバイアス電流供給パッド１２２、供給されたバイアス電流を超伝導集積回路１１０のグランド面１１２から引き出して電源側に戻すためのバイアス電流引き抜きパッド１２４が設けられる。バイアス電流供給パッド１２２およびバイアス電流引き抜きパッド１２４は、外部パッドとボンディング接続するボンディングパッドを構成する。
【００１７】
パッケージ（チップキャリア）１３０に設けたバイアス電源パッド１３１と超伝導集積回路チップ１１１のバイアス電流供給パッド１２２との間はボンディングワイヤーで接続されている。バイアス電流（図中の実線矢印で示す）は、図示していない外部電源からバイアス電源パッド１３１、バイアス電流供給パッド１２２及びバイアス電流供給線１２１を通して超伝導集積回路１１０に供給される。パッケージ（チップキャリア）１３０に設けたグランドパッド１３２は、超伝導集積回路チップ１１１のバイアス電流引き抜きパッド１２４とボンディング接続される。バイアス電流は、超伝導集積回路１１０内ではバイアス配線（図示していない）を通して超伝導論理・記憶回路に供給された後、グランド面１１２を介してバイアス戻り電流として外部電源（図示していない）側に戻る。
【００１８】
この際、グランド面１１２において戻るバイアス戻り電流は、図２３（ａ）に示したように、超伝導のマイスナー効果によりバイアス配線及びバイアス電流供給線１２１に沿ってバイアス電流供給パッド１２２に向かって流れる。
【００１９】
図２３（ａ），図２３（ｂ）のバイアス電流が示す様に、バイアス電流供給パッド１２２に対してバイアス電流引き抜きパッド１２４を隣接させて配置する構成では、グランド面１１２においてバイアス電流引き抜きパッド１２４に戻る電流によって発生する磁場を十分に低減化することが困難である。
【００２０】
図２４はバイアス戻り電流の一例を説明するための図であり、FastHenry（３次元の磁場解析ソフト：http://www.wrcad.com/freestuff.html）により解析したグランド面の表面を流れる電流密度分布の結果を示している。図２４の解析結果は、図２３に示した構成と同様の、左辺中央部にバイアス電流供給パッドとバイアス電流引き抜きパッドとを隣接して配置した構成において、グランド面を流れるバイアス戻り電流の電流密度を対数目盛で示している。
【００２１】
図２４は、超伝導集積回路チップの大きさを５mm×５mmとしチップの左端からバイアス電流を供給し、中心でグランド面に接続し、バイアス電流の供給点（バイアス電流供給パッドに相当する位置）とバイアス電流の戻し点（バイアス電流引き抜きパッドに相当する位置）をy方向（図の縦方向）に２００μmずらした場合の電流密度分布の演算結果を示している。電流密度は最大値から１／１００００を対数目盛によって等高線で表示している。数千から数万のジョセフソン接合からなる中規模・大規模な超伝導集積回路へのバイアス電流は数百mAから数Aとなる。これに対してＳＦＱ回路やＡＱＦＰ回路は磁場に対して高感度であり、数十μAから数百μAの電流がつくる磁場でスイッチング動作が制御される。したがって、グランド面に流れる電流は、超伝導集積回路に供給されるバイアス電流を合わせた電流量に対して、１／１０００程度の電流量であっても超伝導集積回路の動作に影響を与えることになる。
【００２２】
超伝導論理・記憶回路を構成するＳＦＱ回路やＡＱＦＰ回路は外部磁場に対して敏感な素子であるため、不要磁場の影響を受けない環境で動作させる必要がある。地磁気などの環境磁場は磁気シールドで避けることができるが、グランド面１１２を流れるバイアス戻り電流が形成する磁場を磁気シールドで避けることはできない。そのため、グランド面１１２を流れるバイアス戻り電流による不要な磁場の発生を抑制することが求められる。
【００２３】
そこで、本発明は前記した従来の問題点を解決し、バイアス戻り電流による超伝導集積回路への影響を低減することを目的とする。
【課題を解決するための手段】
【００２４】
従来のバイアス電流供給パッドに隣接してバイアス電流引き抜きパッドを配置することによってバイアス戻り電流を引き抜く構成では、バイアス電流の供給点と引き抜き点の平面的な位置の違いによって、グランド面においてバイアス戻り電流の分布が広がるため、磁場の発生を十分に抑制することができないことを見出した。
【００２５】
図２４に示す解析例によれば、バイアス電流の供給点及びバイアス電流の戻り点の周辺では、約１ mm からそれ以上の範囲で最大電流密度の１／１０００程度を越える電流が流れる。また、バイアス電流の供給点及びバイアス電流の戻り点が設けられる辺以外のグランド面の辺においても比較的大きな電流が流れる。このグランド面のバイアス戻り電流による磁場は広い範囲で超伝導集積回路の回路動作に影響を与える。
【００２６】
バイアス電流はバイアス配線を通して論理・記憶回路に供給された後、グランド面に流れる。グランド面において、バイアス電流はマイスナー効果によりバイアス配線に沿ってバイアス線幅程度の範囲の幅でバイアス電流の供給点に向かって戻る。本出願の発明者は、このバイアス電流の供給と戻りにおいて、バイアス電流の供給点とバイアス戻り電流の引き抜き点が同一の位置であれば、理論上はバイアス電流とバイアス戻り電流とが打ち消し合い、磁場の発生が抑制されることを見出した。
【００２７】
バイアス電流の供給点とバイアス戻り電流の引き抜き点を同一の位置とするには、バイアス電流供給パッドとバイアス電流引き抜きパッドとを同じ位置に配置する必要がある。しかしながら、同一位置でボンディングを行うには、両パッドのボンディング位置が制限されること、両パッド間の短絡を避ける必要があることなどの制約があり、二つのパッドを同一面内で同一の位置に配置することは困難である。そのため、バイアス電流供給パッドとバイアス電流引き抜きパッドとを隣接して配置せざるを得ない。
【００２８】
したがって、従来のパッド配置のように、バイアス電流供給パッドとバイアス電流引き抜きパッドとを隣接配置する構成は、バイアス電流の供給点とバイアス戻り電流の引き抜き点の位置がずれ、この位置ずれはグランド面を流れるバイアス戻り電流に広がりが生じる要因となっている。
【００２９】
本願発明は、上記した見地に基づいて、超伝導集積回路に供給したバイアス電流を超伝導集積回路から引き抜く構成において、バイアス電流供給線とバイアス電流引き抜き線とを同一の配線幅とすると共に、積層方向において重なる位置で対向配置する構成とし、これによって、バイアス電流とバイアス戻り電流とを打ち消して不要な磁場の発生を抑制する。
【００３０】
さらに、バイアス電流供給パッドとバイアス電流引き抜きパッドを積層させ、バイアス電流供給パッドのバイアス電流を供給する面と、バイアス電流引き抜きパッドのバイアス戻り電流を引き抜く面を、積層方向において重なる位置で対向配置させる構成とすることによって、バイアス電流の供給点とバイアス戻り電流の引き抜き点を同一位置とし、これによって、グランド面でのバイアス戻り電流の広がりを低減して、不要な磁場の発生を抑制する。
【００３１】
本願発明の超伝導集積回路装置は、積層された複数の配線層で構成される少なくとも一つの超伝導集積回路と、配線層の少なくとも何れかの一つの層と層間接続されたグランド面と、超伝導集積回路にバイアス電流を供給するバイアス電流供給パッドと、グランド面からバイアス戻り電流を引き抜くバイアス電流引き抜きパッドと、バイアス電流供給パッドと超伝導集積回路を構成する配線層との間は電気的に接続され、バイアス電流供給パッドから超伝導集積回路にバイアス電流を供給するバイアス電流供給線と、バイアス電流引き抜きパッドと、グランド面又はグランド面と層間接続された配線層との間は電気的に接続され、グランド面からバイアス戻り電流を引き出すバイアス電流引き抜き線とを備える。
【００３２】
グランド面は配線層と積層され、超伝導集積回路内の回路素子および配線と共に超伝導ループを形成する。
【００３３】
本願発明の超伝導集積回路は、バイアス電流供給線とバイアス電流引き抜き線とを同一の配線幅とし、積層方向において重なる位置で対向配置とする。この構成により、バイアス電流とバイアス戻り電流とは打ち消し合い、不要な磁場の発生が抑制される。
【００３４】
また、本願発明の超伝導集積回路は、バイアス電流供給パッドとバイアス電流引き抜きパッドとを積層し、バイアス電流供給パッドのバイアス電流を供給する点と、バイアス電流引き抜きパッドのバイアス戻り電流を引き抜く点を、積層方向において重なる位置で対向配置し、バイアス電流の供給点とバイアス戻り電流の引き抜き点を同一位置とする。この構成により、グランド面でのバイアス戻り電流の広がりを低減して、不要な磁場の発生を抑制する。
【００３５】
本願発明の超伝導集積回路装置は、超伝導集積回路チップにバイアス電流供給パッドとバイアス電流引き抜きパッドを備え、さらに、これらと接続された同一の配線幅で積層方向において重なるバイアス電流の供給線とバイアス電流引き抜き線を備え、超伝導集積回路を実装するパッケージ（チップキャリア）にバイアス電源パッドとグランドパッドを備える。
【００３６】
ここでは、便宜上、超伝導集積回路チップ側のバイアス電流供給パッド及びバイアス電流引き抜きパッドを内側パッドと称し、パッケージ（チップキャリア）側の外部バイアス電源パッド及びグランドパッドを外側パッドと称する。
【００３７】
内側パッドのバイアス電流供給パッド及びバイアス電流引き抜きパッドは、超伝導集積回路の積層方向においてグランド面と重ならない位置に配置する。この配置によって、内側パッドとグランド面とを分離して絶縁状態を高め、内側パッドからグランド面への電流の漏れを抑制する。
【００３８】
内側パッドのバイアス電流引き抜きパッドは、引き抜いたバイアス戻り電流をボンディング配線を介して導出するボンディング部分を備え、このボンディング部分をバイアス戻り電流を引き抜く位置と平面方向で位置をずらして配置する。このボンディング部分の配置によって、バイアス電流引き抜きパッドに接続されるボンディング配線がバイアス電流供給パッドのボンディング配線と干渉することを避けることができる。
【００３９】
また、バイアス電流引き抜きパッドは、二つのボンディング部分を備える構成とすることができる。この二つのボンディング部分を備える構成では、バイアス戻り電流を引き抜く位置を挟んで両側に二つのボンディング部分を配置した対称構造とする。ボンディング部分を二つ備える構成とすることで、バイアス電流引き抜きパッドから導出されるバイアス戻り電流の電流量を低減させ、磁場の影響を低減させることができる。
【００４０】
内側パッドはグランド面の対向辺に沿って配置する。この内側パッドをグランド面に対する配置は二つの形態で行うことができる。
【００４１】
第１の形態は、グランド面の辺に凹部を設け、この凹部に内側パッドを配置する構成である。第１の形態において、グランド面の外周辺の内、バイアス電流供給パッド及びバイアス電流引き抜きパッドと平面方向で対向する辺に凹形状の縁部を設け、このグランド面の凹形状の内側に、バイアス電流供給パッド及びバイアス電流引き抜きパッドを平面方向で配置する。
【００４２】
第２の形態は、グランド面の外周辺の内の一辺に沿って内側パッドを配置する構成である。第２の形態において、グランド面は、バイアス電流供給パッド及びバイアス電流引き抜きパッドと平面方向で対向する辺に直線形状の縁部を備え、この直線形状の縁部に沿って、バイアス電流供給パッド及びバイアス電流引き抜きパッドを平面方向で配置する。
【００４３】
ここで、平面方向で配置するとは、バイアス電流供給パッド及びバイアス電流引き抜きパッドとグランド面との積層方向の位置関係において、同一平面で配置する場合に限らず、積層方向で異なる平面に配置する場合も含むことを意味する。第１の形態は、バイアス電流供給パッド及びバイアス電流引き抜きパッドとグランド面とが、平面で見たときに重なりがないように配置する。
【００４４】
外側パッドにおいて、バイアス電源パッドはバイアス電流供給パッドとボンディング配線で接続され、グランドパッドはバイアス電流引き抜きパッドとボンディング配線で接続される。
【００４５】
バイアス電源パッド及びグランドパッドは、超伝導集積回路チップの上側に設けられる他、超伝導集積回路チップの下側にも延長して設けられるパッケージ構造としてもよい。例えば、ピングリッドアレイ（ＰＧＡ）パッケージやボールグリッドアレイ（ＢＧＡ）パッケージを用い、フリップチップボンディングにより超伝導集積回路チップと接続する場合には、超伝導集積回路チップの内側にもバンプが設けられている。このような構造では、バイアス電源パッド及びグランドパッドやこれらのパッドの延長配線においてもグランド面と重なる構成となる場合がある。このグランド面との重なりを回避するために、バイアス電源パッド及びグランドパッド等の外側パッドについても、積層方向においてグランド面と重ならない位置に配置する。この配置によって、外側パッドとグランド面とを分離して良好な絶縁状態とし、外側パッドからグランド面への電流の漏れを抑制する。
【００４６】
本願発明の超伝導集積回路装置は、超伝導集積回路を構成する配線層やグランド面を載置するパッケージを備え、外側パッドはパッケージ上に設けることができる。
【００４７】
内側パッドと外側パッドとの間とを接続するボンディング配線は、例えば、ワイヤーボンディングやフリップチップボンディングを用いることができる。
【００４８】
本願発明のグランドパッドは、１パッドで構成する他、２パッドで構成することができる。２パッド構成では、二つのグランドパッドを平面上で分離して配置し、二つのグランドパッド及びバイアス電源パッドを、対向するグランド面の対向辺に沿って配置し、二つのグランドパッドはバイアス電源パッドを挟んで両側に配置する対称構造とする。
【００４９】
二つのグランドパッドは、超伝導集積回路とバイアス電流供給パッド及びバイアス電流引き抜きパッドとを接続するバイアス配線の軸方向に対して対称に配置され、グランド面からのバイアス戻り電流をバイアス配線の軸方向に対して対称に振り分けると共に、バイアス電源から流入する電流量を２分させることによって、バイアス戻り電流による不要な磁場の影響を低減する。
【００５０】
グランドパッドを２パッドで構成することによって、各グランドパッドからバイアス電源側に戻るバイアス戻り電流の電流量を、バイアス電源パッドから流入するバイアス電流の合計電流量の１／２に低減させることができ、バイアス戻り電流による磁場の影響を低減させることができる。
【００５１】
なお、電流量の低減において、電流量を１：１に分割することが望ましいが厳密に１／２である必要はなく、電流量の分割の比率はその比率によって発生する磁場に対する許容分によって定めることができる。また、電流の対称な振り分けについても、バイアス電流配線に対して等距離であることが望ましいが厳密に等距離である必要はなく、位置ずれの程度ははその位置ずれによって発生する磁場に対する許容分によって定めることができる。
【００５２】
本願発明のバイアス電源パッドは、１パッドで構成する他、２パッドで構成することができる。２パッド構成では、二つのバイアス電源パッドを平面上で分離して配置し、二つのバイアス電源パッド及びグランドパッドを、対向するグランド面の対向辺に沿って配置し、二つのバイアス電源パッドはグランドパッドを挟んで両側に配置する対称構造とする。
【００５３】
二つのバイアス電源パッドは、超伝導集積回路とバイアス電流供給パッド及びバイアス電流引き抜きパッドとを接続するバイアス配線の軸方向に対して対称に配置され、外部電源からのバイアス電流をバイアス配線の軸方向に対して対称に振り分けると共に、電流量を２分させることによって、バイアス電流による不要な磁場の影響を低減する。
【００５４】
本願発明において、超伝導集積回路の外部パッドであるグランドパッドとバイアス電源パッドをそれぞれ２パッドで構成する態様によれば、バイアス電流および／又はバイアス戻り電流をバイアス配線に対して対称に振り分けることによって、バイアス配線に対する電流の流れのバランスのずれを低減することができ、これによって電流分布の不均等によって発生する不要磁場を抑制することができる。
【００５５】
なお、バイアス配線はバイアス電流供給線及びバイアス引き抜き線の一方あるいは両方の配線を表すものである。
【００５６】
この構成によって、バイアス電流供給線とバイアス電流引き抜き線に流れる電流密度を同程度とし、各電流が形成する磁場を互いに打ち消して、超伝導集積回路への磁場の影響を低減させることができる。
【発明の効果】
【００５７】
以上説明したように、本願発明の超伝導集積回路装置によれば、バイアス戻り電流のグランド面での広がりを縮小することによって、不要磁場の発生を抑制し、バイアス戻り電流による超伝導集積回路への影響を低減することができる。
【図面の簡単な説明】
【００５８】
【図１】本願発明の超伝導集積回路の第１の形態の概略構成を説明するための図である。
【図２】本願発明の超伝導集積回路の第２の形態の概略構成を説明するための図である。
【図３】本願発明の超伝導集積回路装置の第１の形態によるバイアス戻り電流の分布状態を説明するための図である。
【図４】本願発明の超伝導集積回路装置の第２形態によるバイアス戻り電流の分布状態を説明するための図である。
【図５】超伝導集積回路の代表的な作成プロセスの断面構造を説明するための概念図である。
【図６】本願発明の超伝導集積回路装置の第１の実施例のパッド部分の構成を示す図である。
【図７】本願発明の超伝導集積回路装置の第１の実施例の概略構成を示す図である。
【図８】本願発明の超伝導集積回路装置の第２の実施例のパッド部分の構成を示す図である。
【図９】本願発明の超伝導集積回路装置の第３の実施例のパッド部分の構成を示す図である。
【図１０】本願発明の超伝導集積回路装置の第４の実施例のパッド部分の構成を示す図である。
【図１１】本願発明の超伝導集積回路装置の第５の実施例のパッド部分の構成を示す図である。
【図１２】本願発明の超伝導集積回路装置の第５の実施例の概略構成を示す図である。
【図１３】本願発明の超伝導集積回路装置の第６の実施例のパッド部分の構成を示す図である。
【図１４】本願発明の超伝導集積回路装置の第６の実施例の概略構成を示す図である。
【図１５】本願発明の超伝導集積回路装置の第７の実施例のパッド部分の構成を示す図である。
【図１６】本願発明の超伝導集積回路装置の第８の実施例のパッド部分の構成を示す図である。
【図１７】本願発明の超伝導集積回路装置の第８の実施例の概略構成を示す図である。
【図１８】グランド面の積層位置を説明するための図である。
【図１９】本願発明の超伝導集積回路の別の概略構成を示す図である。
【図２０】本願発明の超伝導集積回路の別の概略構成を示す図である。
【図２１】超伝導集積回路の概略構成を示す図である。
【図２２】超伝導集積回路へのバイアス電流と、グランド面のバイアス戻り電流を説明するための図である。
【図２３】バイアス電流供給パッドとバイアス電流引き抜きパッドの配置例を説明するための図である。
【図２４】超伝導集積回路装置によるバイアス戻り電流の分布状態を説明するための図である。
【発明を実施するための形態】
【００５９】
以下、本願発明の実施の形態について、図を参照しながら詳細に説明する。以下、図１，２を用いて本願発明の超伝導集積回路装置の概略構成を説明し、図３，４を用いて本願発明の超伝導集積回路装置によるバイアス戻り電流の分布状態を説明し、図５を用いて本願発明の超伝導集積回路装置を構成する超伝導集積回路の積層構造を説明し、図６〜２０を用いて本願発明の超伝導集積回路装置の実施例を説明する。
【００６０】
［超伝導集積回路装置の概略構成］
本願発明の超伝導集積回路装置は、超伝導のグランド面（グランドプレーン）上に配線層を積層して形成される一つあるいは複数の超伝導集積回路を備える。超伝導集積回路内には、バイアス電流供給用の配線、及びバイアス電流戻し用の配線は同一の配線幅とし、回路周辺に積層方向（上下方向）に平行して且つ対向して設けられ、これら配線によって超伝導集積回路内の超伝導論理・記憶回路へのバイアス電流の供給と引き抜きが行われる。
【００６１】
グランド面は超伝導論理・記憶回路部の平面全体に対して対向して設けられ、グランド面に対して超伝導集積回路の配線は電気的に接続される。
【００６２】
バイアス電流供給用の配線とバイアス電流戻し用の配線はそれぞれ一方の端部にバイアス電流供給パッドとバイアス電流引き抜きパッドを備え、両パッドを積層方向（超伝導集積回路の上下方向）において同一位置に配置する。
【００６３】
この配線及びパッドの配置構成によって、バイアス電流の供給とバイアス電流の戻し（引き抜き）とを、平面方向で見たとき同一点で行うことができ、バイアス電流での広がりを抑制して、超伝導集積回路に対して磁場の発生を抑制すると共に、必要なバイアス電流を超伝導集積回路の超伝導論理・記憶回路に供給することができる。
【００６４】
図１、２は本願発明の超伝導集積回路装置１の概略構成、特にパッド部分の構成を説明するための図であり、図１は第１の形態を示し、図２は第２の形態を示している。
【００６５】
超伝導集積回路チップ３はボンディングパッドを備え、超伝導集積回路２と外部パッドとの間でボンディング接続を行う。超伝導集積回路チップ３に設けられる超伝導集積回路２は、ＡＬＵ、乗算器、プロセッサコア、ＲＯＭ、ＲＡＭ、入出力（Ｉ／Ｏ）回路等の一つあるいは複数の要素集積回路（機能集積回路ブロック）から構成され、相互に配線されている。一般に、これらの超伝導集積回路チップには下部または上部あるいは上下全面に渡ってグランド面１２が設けられる。また、超伝導集積回路チップ３は、パッケージ（チップキャリア）４に実装されたボンディングパッドと電気的に接続される。
【００６６】
図示したように、超伝導集積回路チップ３内に設けたバイアス電流供給パッド２２とバイアス電流引き抜きパッド２４の各ボンディングパッドにはグランド面１２を設けない。この二つのボンディングパッドから積層方向で上下の位置で平行且つ対向して設けられた配線を通して超伝導集積回路本体である論理回路・記憶回路に対してバイアス電流の供給と戻しが行われる。
【００６７】
本願発明の超伝導集積回路装置１は、バイアス戻り電流をバイアス電流引き抜きパッド２４から戻す、あるいは、バイアス電流をバイアス電流供給パッド２２から与える際に、１本のボンディング配線を用いる形態と、２本のボンディング配線を用いる形態とすることができる。
【００６８】
第１の形態および第２の形態は、共に超伝導集積回路へのバイアス電流の供給と、超伝導集積回路から戻るバイアス電流の引き抜きのためのパッド部分の構成において、バイアス電流を供給する構成として、バイアス電源（図示していない）側に設けたバイアス電源パッド３１と、超伝導集積回路２側に設けたバイアス電流供給パッド２２と、バイアス電流供給パッド２２と超伝導集積回路２側のバイアス配線とを接続してバイアス電流を超伝導集積回路２に供給するバイアス電流供給線２１を備える。又、バイアス戻り電流を引き抜く構成として、バイアス電源（図示していない）側に設けたグランドパッド３２と、超伝導集積回路２側に設けたバイアス電流引き抜きパッド２４と、バイアス電流引き抜きパッド２４とグランド面側に接続してグランド面側から戻るバイアス戻り電流を引き抜くバイアス電流引き抜き線２３を備える。
【００６９】
なお、バイアス電流引き抜き線２３をグランド面１２と同じ層レベルで接続して、グランド面１２からバイアス戻り電流を直接に引き抜く構成とする他、バイアス電流引き抜き線２３との接続を、グランド面１２とビア接続された異なる層レベルの配線層１０との間で行い、グランド面１２から戻るバイアス戻り電流をビア（図示していない）を通して配線層から引き抜く構成とすることができる。
【００７０】
バイアス電流供給パッド２２とバイアス電流引き抜きパッド２４は、バイアス電流供給パッド２２のバイアス電流を供給する面（ボンディング部Ａの面）と、バイアス電流引き抜きパッド２４のバイアス戻り電流を引き抜く面（対向面Ｂ）が、積層方向において重なる位置となるように対向配置させて積層される。
【００７１】
この配置によって、バイアス電流の供給点とバイアス戻り電流の引き抜き点とを同一位置とし、バイアス電流とバイアス戻り電流とを打ち消して磁場の発生を抑制する。
【００７２】
バイアス電流供給線２１とバイアス電流引き抜き線２３とを同じ配線幅とし、積層方向において重なる位置で対向配置させる。この配置によって、バイアス電流供給線２１を流れるバイアス電流によって発生する磁場とバイアス電流引き抜き線２３を流れるバイアス戻り電流によって発生する磁場とを互いに打ち消し、超伝導集積回路２への磁場の影響を低減させる。
【００７３】
また、バイアス電流供給パッド２２とバイアス電流引き抜きパッド２４は、超伝導集積回路２の積層方向においてグランド面１２と重ならない位置に配置する。この配置によって、バイアス電流供給パッド２２及びバイアス電流引き抜きパッド２４とグランド面とを分離してバイアス電源パッド３１とグランドパッド３２とのボンディング配線を可能にする。
【００７４】
本願発明の超伝導集積回路装置において、グランドパッドは一つのパッドを備える構成の他、二つのパッドを備える構成とすることができる。図１の第１の形態はグランドパッドを一つのパッドで構成する例であり、図２の第２の形態はグランドパッドを二つのパッドで構成する例である。
【００７５】
第１の形態において、バイアス電流供給パッド２２は、バイアス電源パッド３１との間でボンディング配線を接続するボンディング部分Ａを備え、バイアス電流引き抜きパッド２４は、バイアス電流供給パッド２２と積層方向に重なる対向面Ｂと、バイアス電流供給パッド２２と積層方向で位置をずらして配置される一つのボンディング部分Ｃを有する。
【００７６】
ボンディング部分Ｃはグランドパッド３２との間をボンディング配線で接続する接点部分（図中の枠で示す）であり、バイアス戻り電流は対向面Ｂで引き抜かれた後、ボンディング部分Ｃからボンディング配線を介してグランドパッド３２に戻り、バイアス電源（図示していない）に戻る。
【００７７】
第２の形態において、バイアス電流供給パッド２２は、第１の形態と同様に、バイアス電源パッド３１との間でボンディング配線を接続するボンディング部分Ａを備える。一方、バイアス電流引き抜きパッド２４は、バイアス電流供給パッド２２と積層方向に重なる対向面Ｂと、バイアス電流供給パッド２２と積層方向で位置をずらして配置される二つのボンディング部分Ｃ，Ｄを有する。二つのボンディング部分Ｃ，Ｄは対向面Ｂを挟んで配置された対称構造とすると共に、グランド面の対向辺に沿って配置される。また、第２の形態では、二つのグランドパッド３２，３３を備える。
【００７８】
バイアス電流引き抜きパッド２４のボンディング部分Ｃ，Ｄは、グランドパッド３２，３３との間をボンディング配線でそれぞれ接続する接点部分（図中の枠で示す）であり、バイアス戻り電流は対向面Ｂで引き抜かれた後、ボンディング部分Ｃからボンディング配線を介してグランドパッド３２に戻ると共に、ボンディング部分Ｄからボンディング配線を介してグランドパッド３３に戻り、バイアス電源（図示していない）に戻る。
【００７９】
バイアス電源パッドの二つのパッド及びグランドパッドは、同一平面上において、対向するグランド面の対向辺に沿って配置され、二つのグランドパッドはバイアス電源パッドを挟んで両側に配置される対称構造である。
【００８０】
グランドパッドを二つのパッドで構成することによって、各グランドパッドから流出するバイアス戻り電流の電流量を、バイアス電源パッドから流入するバイアス電流の合計電流量の１／２に低減させると共に、バイアス戻り電流をバイアス配線の中心軸に対して対称に振り分けることによって、バイアス電流とバイアス戻り電流による磁場の影響を低減させることができる。
【００８１】
グランドパッドと接続するバイアス電流引き抜きパッドが２つある構成では、バイアス電流引き抜きパッドはバイアス配線（バイアス電流供給線及びバイアス電流引き抜き線）に対して対称配置する構成とすることによって、バイアス戻り電流は、バイアス配線の中心軸に対して対称に振り分けられる。
【００８２】
図３，４は電流密度分布をFastHenryにより計算した結果を示し、図３は第１の態様の構造による電流密度分布を示し、図４は第２の態様の構造による電流密度分布を示している。
【００８３】
図３に示す第１の形態による電流密度分布によれば、電流密度の最大値の１／１０００以上の範囲はバイアス電流供給線やボンディングパッドの極めて近傍に制限されている。同様に、電流密度の最大値の１／２０００から１／１００００の更に小さな電流密度の範囲についても狭くなっていることを示している。
【００８４】
図４に示す第２の形態による電流密度分布によれば、第１の形態よりも更にグランド面を流れるバイアス戻り電流の広がりは低減され、電流密度の最大値の１／１００００以上の範囲においてもバイアス電流供給線やボンディングパッドの極めて近傍に制限されることを示している。
【００８５】
超伝導集積回路のデバイス構造として、１層のＮｂグランド面と接合の上部電極と下部電極を形成する２層のＮｂ層の配線層からなる３層のデバイス構造、あるいは配線層としてもう一つのＮｂ層を追加した４層のデバイス構造が知られている。
【００８６】
図５は超伝導集積回路の代表的な作成プロセスの断面構造を説明するための概念図である。スイッチ素子であるジョセフソン接合１７をＮｂ／ＡｌＯｘ／Ｎｂ構造で作成し、基板１１上に、超伝導配線層としてのＮｂの配線層１３〜１５（Ｍ２〜Ｍ４）と、ＳｉＯ２の層間絶縁膜１６と、グランド面１２（Ｍ１）とを備え、抵抗としてＭｏ（ＲＥＳ）を用いて配線間をビアにより接続している。図５において、配線層１３はＢＡＳ層、配線層１４はＣＯＵ層、配線層１５はＣＴＬ層と呼ばれ、ＢＣ，ＧＣ，ＪＣ，ＲＣは層間のコンタクト（ビア）部分である。
【００８７】
Ｍ１層のグランド面（グランドプレーン）１２は超伝導集積回路の全面に渡って形成され、自己インダクタンスの低減化や隣接する配線間の相互インダクタンスの低減化の作用を奏する他、グランド面を接地面としてマイクロストリップラインやストリップラインなどの形成にも使用されている。作成プロセスの断面構造の詳細については、例えば非特許文献４に記載されている。
【００８８】
［実施例］
以下、図６〜図２０を用いて本願発明の実施例について説明する。以下では、第１の実施例〜第８の実施例について示す。第１〜第４の実施例は第１の形態の構成であり、第５〜第８の実施例は第２の形態の構成である。
【００８９】
以下に示す第１の実施例〜第４の実施例は、一つのグランドパッドを備える第１の態様に係る実施例である。
【００９０】
第１の実施例：
第１の実施例を図６，７を用いて説明する。図６は超伝導集積回路装置のパッド部分の構成を示し、図７は超伝導集積回路の概略構成を示している。
第１実施例では、バイアス電流引き抜きパッド２４は一つのボンディング部分を備え、このボンディング部分に対応するグランドパッド３２を一つ備える構成であり、バイアス電流供給パッド２２とバイアス電源パッド３１との間をボンディング配線で接続し、バイアス電流引き抜きパッド２４とグランドパッド３２との間をボンディング配線で接続する。
【００９１】
グランド面１２は、バイアス電流引き抜きパッド２４とグランドパッド３２、及びバイアス電流供給線２１とバイアス電流引き抜き線２３の平行配線の周辺を除去したレイアウトである。例えば、バイアス電流供給パッド２２及びバイアス電流引き抜きパッド２４と平面方向で対向する辺を凹形状の縁部とし、平面方向において、この凹形状の内側にバイアス電流供給パッド２２及びバイアス電流引き抜きパッド２４を配置する。
【００９２】
なお、図示する例では、バイアス電流供給パッド２２及びバイアス電流引き抜きパッド２４を矩形形状で構成する例を示し、この矩形形状のパッドにおいて、各パッドが備える４辺の内、図６、図７（ａ）中の左方の辺を除く３辺でグランド面１２の縁部と対向する例を示している。パッドとグランド面の縁部とが対向する位置関係はこの例に限らず、パッドの４辺をグランド面の縁部が囲む位置関係とする他、グランド面の縁部をＬ字形状とし、このＬ字部分の２辺の縁部対向する位置関係としてもよい。
【００９３】
バイアス電流供給パッド２２と第１の配線層の配線４１とをバイアス電流供給線２１で接続し、バイアス電流引き抜きパッド２４はバイアス電流引き抜き線２３と接続する。バイアス電流引き抜き線２３あるいはそれと接続された第２の配線層の配線４２の適当な位置でグランド面１２とビア４３を通して接続することによってバイアス電流引き抜き線２３あるいは第２の配線層の配線４２とグランド面１２とを接続し、これによって、バイアス電流及びバイアス戻り電流は、積層方向の上下で形成される平行配線を流れる構成としている。なお、バイアス電流引き抜き線２３は第２の配線層で形成され、実質的には配線４２と区別はなく同等である。
【００９４】
配線４１の第１の配線層及び配線４２の第２の配線層は図５中の配線層１３〜１５を用いることができる構成とする。
【００９５】
バイアス電流供給パッド２２及びバイアス電流引き抜きパッド２４の各パッドと配線層１３〜１５はビアを通して他の層に接続することで、任意の層を使って上下平行配線やパッドを形成することができる。
【００９６】
例えば、バイアス電流供給パッド２２とＣＯＵ層（Ｍ３）の配線層１４、及びバイアス引き抜きパッド２とＢＡＳ層 (Ｍ２)の配線層１３を用いて上下の平行配線を形成し、超伝導集積回路２の配線層の適当な個所でＢＡＳ層 （Ｍ３）の配線層１４とグランド面（Ｍ１）１２をビアを通して接続することで、バイアス電流とバイアス戻り電流をが流れる上下の平行配線を形成する。
【００９７】
図７（ａ）は、バイアス電流供給パッド２２とバイアス電流引き抜きパッド２４を各一つ設けた例を示し、図７（ｂ）は、複数のバイアス電流パッドと配線を設けた、より実際的な構成図を示している。
【００９８】
第２の実施例：
第２の実施例を図８を用いて説明する。図８は超伝導集積回路装置のパッド部分の構成を示している。
【００９９】
第２の実施例は、バイアス電流引き抜きパッドと接続する配線層として、第１の実施例の第２の配線層に代えてグランド面を用いる構成とし、その他の構成は第１の実施例と同様とする例である。
【０１００】
ここでは、第１の実施例と異なる構成についてのみ説明し、その他の共通する構成については説明を省略する。
【０１０１】
バイアス電流引き抜きパッド２４はバイアス電流引き抜き線２３を通してグランド面１２と接続する。これによって、第１の実施例では、グランド面１２のバイアス戻り電流はビア接続された第２の配線層４２からバイアス電流引き抜き線２３に戻るのに対して、第２の実施例によれば、グランド面１２のバイアス戻り電流は第２の配線層４２を介することなくバイアス電流引き抜き線２３に戻ることになる。したがって、第２の実施例は、バイアス電流及びバイアス戻り電流は、一方をグランド面として積層方向の上下で形成される平行配線を流れる。
【０１０２】
第３の実施例：
第３の実施例を図９を用いて説明する。図９は超伝導集積回路装置のパッド部分の構成を示している。
【０１０３】
第３の実施例は、グランド面の形状の点で第１の実施例と異なる構成とし、その他の構成は第１の実施例と同様とする例である。ここでは、第１の実施例と異なる構成についてのみ説明し、その他の共通する構成については説明を省略する。
【０１０４】
第１の実施例では、バイアス電流供給パッド及びバイアス電流引き抜きパッドを、グランド面に設けた凹部形状の内側に配置する構成であるのに対して、第３の実施例では、グランド面１２は、バイアス電流供給パッド２２及びバイアス電流引き抜きパッド２４と平面方向で対向する辺に直線形状の縁部を備える構成とする。バイアス電流供給パッド２２及びバイアス電流引き抜きパッド２４は、平面方向においてグランド面１２の直線形状の縁部に沿って配置される。
【０１０５】
グランド面１２が、バイアス電流供給パッド２２及びバイアス電流引き抜きパッド２４と平面方向で対向する辺を直線形状の縁部とすることによって、バイアス電流引き抜きパッド２４とグランド面１２との距離を広げることができ、バイアス漏れ電流がグランド面１２上で広がることを低減することができる。
【０１０６】
第４の実施例：
第４の実施例を図１０を用いて説明する。図１０は超伝導集積回路装置のパッド部分の構成を示している。
【０１０７】
第４の実施例は、バイアス電流引き抜きパッドと接続する配線層をグランド面とする点、及びグランド面の形状の点で第１の実施例と異なる構成とし、その他の構成は第１の実施例と同様とする例である。ここでは、第１の実施例と異なる構成についてのみ説明し、その他の共通する構成については説明を省略する。
【０１０８】
バイアス電流引き抜きパッド２４はバイアス電流引き抜き線２３を通してグランド面１２と接続する。これによって、第１の実施例では、グランド面１２のバイアス戻り電流はビア接続された第２の配線層４２からバイアス電流引き抜き線２３に戻るのに対して、第４の実施例によれば、グランド面１２のバイアス戻り電流は第２の配線層４２を介することなくバイアス電流引き抜き線２３に戻ることになる。したがって、第４の実施例では、バイアス電流及びバイアス戻り電流は、一方をグランド面として積層方向の上下の位置に形成される平行配線を流れる。
【０１０９】
第１の実施例では、バイアス電流供給パッド及びバイアス電流引き抜きパッドを、グランド面に設けた凹部形状の内側に配置する構成であるのに対して、第４の実施例では、グランド面１２は、バイアス電流供給パッド２２及びバイアス電流引き抜きパッド２４と平面方向で対向する辺に直線形状の縁部を備える構成とする。バイアス電流供給パッド２２及びバイアス電流引き抜きパッド２４は、平面方向においてグランド面１２の直線形状の縁部に沿って配置される。
【０１１０】
グランド面１２が、バイアス電流供給パッド２２及びバイアス電流引き抜きパッド２４と平面方向で対向する辺を直線形状の縁部とすることによって、バイアス電流引き抜きパッド２４とグランド面１２との距離を広げることができ、バイアス漏れ電流がグランド面１２上で広がることを低減することができる。
【０１１１】
以下に示す第５の実施例〜第８の実施例は、二つのグランドパッドを備え、バイアス電流引き抜きパッドは二つのボンディング部分を備える第２の態様の実施例である。
【０１１２】
第５の実施例：
第５の実施例を図１１，１２を用いて説明する。図１１は超伝導集積回路装置のパッド部分の構成を示し、図１２は超伝導集積回路の概略構成を示している。
【０１１３】
第５の実施例は、バイアス電流引き抜きパッド及びグランドパッドの構成において第１の実施例と異なり、その他の構成は第１の実施例と同様とする例である。ここでは、第５の実施例と異なる構成についてのみ説明し、その他の共通する構成については説明を省略する。
【０１１４】
第５の実施例において、バイアス電流供給パッド２２は、第１の実施例と同様にバイアス電源パッド３１との間でボンディング配線を接続する。一方、バイアス電流引き抜きパッド２４は、バイアス電流供給パッド２２と積層方向に重なる対向面Ｂと、バイアス電流供給パッド２２と積層方向で位置をずらして配置される二つのボンディング部分Ｃ，Ｄを有する。二つのボンディング部分Ｃ，Ｄは対向面Ｂを挟んで配置されて対称構造を構成し、グランド面の対向辺に沿って配置する。また、第５の実施例では、バイアス電流引き抜きパッド２４の二つのボンディング部分に対応して二つのグランドパッド３２，３３を備える。
【０１１５】
バイアス電流引き抜きパッド２４のボンディング部分Ｃ，Ｄは、グランドパッド３２，３３との間をボンディング配線でそれぞれ接続する接点部分（図中の枠で示す）であり、バイアス戻り電流は対向面Ｂで引き抜かれた後、ボンディング部分Ｃからボンディング配線を介してグランドパッド３２に戻ると共に、ボンディング部分Ｄからボンディング配線を介してグランドパッド３３に戻り、バイアス電源（図示していない）に戻る。
【０１１６】
グランドパッド３２，３３を二つのパッドで構成することによって、各グランドパッドから流出するバイアス戻り電流の電流量を、バイアス電源パッド３１から流入するバイアス電流の合計電流量の１／２に低減させると共に、バイアス配線の軸方向に対して対称な電流とすることによって、バイアス戻り電流による磁場の影響を低減させることができる。
【０１１７】
第５の実施例では、バイアス電流引き抜きパッド２４は二つのボンディング部Ｃ，Ｄを備え、このボンディング部Ｃ，Ｄに対応する二つのグランドパッド３２，３３を備え、バイアス電流供給パッド２２とバイアス電源パッド３１との間をボンディング配線で接続し、バイアス電流引き抜きパッド２４のボンディング部分Ｃとグランドパッド３２との間をボンディング配線で接続し、バイアス電流引き抜きパッド２４のボンディング部分Ｄとグランドパッド３３との間をボンディング配線で接続する。
【０１１８】
また、グランド面１２は、バイアス電流引き抜きパッド２４とグランドパッド３２、及びバイアス電流供給線２１とバイアス電流引き抜き線２３の平行配線の周辺を除去したレイアウトとする。例えば、バイアス電流供給パッド２２及びバイアス電流引き抜きパッド２４と平面方向で対向する辺を凹部形状の縁部とし、平面方向において、この凹部形状の内側にバイアス電流供給パッド２２及びバイアス電流引き抜きパッド２４を配置する。
【０１１９】
なお、図示する例では、バイアス電流供給パッド２２及びバイアス電流引き抜きパッド２４を矩形形状で構成する例を示し、この矩形形状のパッドにおいて、各パッドが備える４辺の内、図１１、図１２（ａ）中の左方の辺を除く３辺でグランド面１２の縁部と対向する例を示している。パッドとグランド面の縁部とが対向する位置関係はこの例に限らず、パッドの４辺をグランド面の縁部が囲む位置関係とする他、グランド面の縁部をＬ字形状とし、このＬ字部分の２辺の縁部対向する位置関係としてもよい。
【０１２０】
バイアス電流供給パッド２２と第１の配線層の配線４１とをバイアス電流供給線２１で接続し、バイアス電流引き抜きパッド２４はバイアス電流引き抜き線２３と接続する。バイアス電流引き抜き線２３あるいはそれと接続された第２の配線層の配線４２の適当な位置でグランド面１２とビア４３を通して接続することによってバイアス電流引き抜き線２３あるいは第２の配線層の配線４２とグランド面１２とを接続し、これによって、バイアス電流及びバイアス戻り電流は、積層方向の上下で形成される平行配線を流れる構成としている。なお、バイアス電流引き抜き線２３は第２の配線層で形成され、実質的には配線４２と区別はなく同等である。
【０１２１】
配線４１の第１の配線層及び配線４２の第２の配線層は図５中の配線層１３〜１５を用いることができる構成とする。
【０１２２】
バイアス電流供給パッド２２及びバイアス電流引き抜きパッド２４の各パッドと配線層１３〜１５はビアを通して他の層に接続することで、任意の層を使って上下平行配線やパッドを形成することができる。
【０１２３】
例えば、バイアス電流供給パッド２２とＣＯＵ層（Ｍ３）の配線層１４、及びバイアス引き抜きパッド２とＢＡＳ層 (Ｍ２)の配線層１３を用いて上下の平行配線を形成し、超伝導集積回路２の配線層の適当な個所でＢＡＳ層 （Ｍ３）の配線層１４とグランド面（Ｍ１）１２をビアを通して接続することで、バイアス電流とバイアス戻り電流が流れる上下の平行配線を形成する。
【０１２４】
図１２（ａ）は、バイアス電流供給パッド２２とバイアス電流引き抜きパッド２４を各一つ設けた例を示し、図１２（ｂ）は、複数のバイアス電流パッドと配線を設けた、より実際的な構成図を示している。
【０１２５】
第６の実施例：
第６の実施例を図１３，１４を用いて説明する。図１３は超伝導集積回路装置のパッド部分の構成を示し、図１４は超伝導集積回路の概略構成を示している。
【０１２６】
第６の実施例は、バイアス電流引き抜きパッドと接続する配線層として、第５の実施例の第６の配線層に代えてグランド面を用いる構成とし、その他の構成は第５の実施例と同様とする例であり、グランド面はバイアス電流引き抜きパッドおよび平行配線の周辺のみが除去されたレイアウトである。
【０１２７】
ここでは、第５の実施例と異なる構成についてのみ説明し、その他の共通する構成については説明を省略する。
【０１２８】
バイアス電流引き抜きパッド２４はバイアス電流引き抜き線２３を通してグランド面１２と接続する。これによって、第１の実施例では、グランド面１２のバイアス戻り電流はビア接続された第２の配線層４２からバイアス電流引き抜き線２３に戻るのに対して、第２の実施例によれば、グランド面１２のバイアス戻り電流は第２の配線層４２を介することなくバイアス電流引き抜き線２３に戻ることになる。したがって、第２の実施例は、バイアス電流及びバイアス戻り電流は、一方をグランド面として積層方向の上下で形成される平行配線を流れる。
【０１２９】
第６の実施例では、バイアス電流供給パッド２２と接続する配線４１の第１の配線層として例えばＢＡＳ層（Ｍ２）の配線層１３を用い、バイアス引き抜きパッド２４と接続する配線層としグランド面１２を用いることで上下の平行配線を形成している。
【０１３０】
図１４（ａ）は、バイアス電流供給パッド２２とバイアス電流引き抜きパッド２４を各一つ設けた例を示し、図１４（ｂ）は、複数のバイアス電流パッドと配線を設けた、より実際的な構成図を示している。
【０１３１】
第７の実施例：
第７の実施例を図１５を用いて説明する。図１５は超伝導集積回路装置のパッド部分の構成を示している。
【０１３２】
第７の実施例は、グランド面の形状の点で第５の実施例と異なる構成とし、その他の構成は第５の実施例と同様とする例である。ここでは、第５の実施例と異なる構成についてのみ説明し、その他の共通する構成については説明を省略する。
【０１３３】
第５の実施例は、バイアス電流供給パッド及びバイアス電流引き抜きパッドを、グランド面に設けた凹部形状の内側に配置する構成であるのに対して、第７の実施例では、グランド面１２は、バイアス電流供給パッド２２及びバイアス電流引き抜きパッド２４と平面方向で対向する辺に直線形状の縁部を備える構成とする。バイアス電流供給パッド２２及びバイアス電流引き抜きパッド２４は、平面方向においてグランド面１２の直線形状の縁部に沿って配置される。
【０１３４】
グランド面１２が、バイアス電流供給パッド２２及びバイアス電流引き抜きパッド２４と平面方向で対向する辺を直線形状の縁部とすることによって、バイアス電流引き抜きパッド２４とグランド面１２との距離を広げることができ、バイアス漏れ電流がグランド面１２上で広がることを低減することができる。
【０１３５】
第８の実施例：
第８の実施例を図１６，１７を用いて説明する。図１６は超伝導集積回路装置のパッド部分の構成を示し、図１７は超伝導集積回路の概略構成を示している。
【０１３６】
第８の実施例は、バイアス電流引き抜きパッドと接続する配線層をグランド面とする点、及びグランド面の形状の点で第５の実施例と異なる構成とし、その他の構成は第５の実施例と同様とする例である。ここでは、第５の実施例と異なる構成についてのみ説明し、その他の共通する構成については説明を省略する。
【０１３７】
バイアス電流引き抜きパッド２４はバイアス電流引き抜き線２３を通してグランド面１２と接続する。これによって、第５の実施例では、グランド面１２のバイアス戻り電流はビア接続された第２の配線層４２からバイアス電流引き抜き線２３に戻るのに対して、第８の実施例によれば、グランド面１２のバイアス戻り電流は第２の配線層４２を介することなくバイアス電流引き抜き線２３に戻ることになる。したがって、第８の実施例は、バイアス電流及びバイアス戻り電流は、一方をグランド面として積層方向の上下で形成される平行配線を流れる。
【０１３８】
第５の実施例では、バイアス電流供給パッド及びバイアス電流引き抜きパッドを、グランド面に設けた凹部形状の内側に配置する構成であるのに対して、第８の実施例では、グランド面１２は、バイアス電流供給パッド２２及びバイアス電流引き抜きパッド２４と平面方向で対向する辺に直線形状の縁部を備える構成とする。バイアス電流供給パッド２２及びバイアス電流引き抜きパッド２４は、平面方向においてグランド面１２の直線形状の縁部に沿って配置される。
【０１３９】
グランド面１２が、バイアス電流供給パッド２２及びバイアス電流引き抜きパッド２４と平面方向で対向する辺を直線形状の縁部とすることによって、バイアス電流引き抜きパッド２４とグランド面１２との距離を広げることができ、バイアス漏れ電流がグランド面１２上で広がることを低減することができる。
【０１４０】
超伝導集積回路の各実施例において、グランド面が設けられていない個所において高周波信号の入出力上で接地を必要とする場合にはグランド面を設けることができる。
【０１４１】
また、上下平行配線を構成するパッドと配線層の組み合わせにおいて、バイアス電流供給パッドとＢＡＳ層（Ｍ２）、及びバイアス引き抜きパッドとグランド面の組み合わせに限らず、任意の配線層を用い、超伝導集積回路内の適当な個所でビアによってグランド面と接続する構成としても良い。
【０１４２】
図１８は、グランド面の積層位置を説明するための図である。
上記した各実施例ではグランド面を積層の下部に配置する例を示しているが、グランド面は積層の下部に限らず上部あるいは上部及び下部に設ける構成としてもよい。
【０１４３】
図１８（ａ），（ｂ）は、グランド面（ＧＰ）を積層の下部に設ける例を示している。この例では、基板１１上にグランド面１２を設け、層間絶縁層１６を挟んで配線層１３，１４，１５を積層させる。各配線層間の接続はビア１８によって行い、図１８（ａ）では配線層とグランド面との接続はビア４３によって行う。
【０１４４】
図１８（ａ）では、バイアス電流引き抜きパッド２４とグランド面１２とを配線層１３を介して接続する例であり、配線層１３の任意の点とグランド面１２とをビア４３で接続する。
【０１４５】
図１８（ｂ）では、バイアス電流引き抜きパッド２４とグランド面１２とは配線層１３を介することなく直接に接続する。
【０１４６】
図１８（ｃ）は、グランド面（ＧＰ）を積層の上部に設ける例を示している。この例では、基板１１上に層間絶縁層１６を挟んで配線層１３，１４，１５を積層させ、上部にグランド面１２を生成する。各配線層間の接続はビア１８によって行い、配線層とグランド面１２との接続はビア４３によって行う。
【０１４７】
図１８（ｄ）は、グランド面（ＧＰ）を積層の下部と上部に設ける例を示している。この例では、基板１１上にグランド面１２ａを設け、その上に層間絶縁層１６を挟んで配線層１３，１４，１５を積層させ、上部にグランド面１２ｂを生成する。各配線層間の接続はビア１８によって行う。
【０１４８】
ここでは、バイアス電流引き抜きパッド２４とグランド面１２ａ，ｂとは配線層１３を介することなく直接に接続する例を示しているが、ビア接続した配線層を介してバイアス引き抜き電流パッド２４と接続する構成とすることもできる。
【０１４９】
図１９は本願発明の超伝導集積回路の別の概略構成を示す図である。この例では、グランド面１２を積層方向の上方に設けると共に、二つのバイアス電源パッド３１ａ，３１ｂと、一つのグランドパッド３２を備える構成である。この構成例によれば、各バイアス電源パッド３１ａ，３１ｂから導入するバイアス電流を、バイアス配線（バイアス電流供給線２２及びバイアス引き抜き線２３）の軸方向に対して対称に振り分けることができる。
【０１５０】
バイアス電源パッドを二つのパッドで構成する場合は、グランドパッドを二つのパッドで構成する場合に対して、二つのパッド構造において、、バイアス電流を供給するバイアス電源パッドとバイアス戻り電流を引き抜くグランドパッドのパッドが入れ替わっており、振り分けられる電流がバイアス戻り電流からバイアス電流に入れ替わっているが、電流をバイアス配線に対して対称配置とすることによって不要磁場の発生を抑制するという点では同様の効果を奏する。
【０１５１】
図２０は、バイアス電源パッド及びグランドパッドの両パッドについてそれぞれ二つのパッドで構成する例を示している。図２０（ａ）はバイアス電流を供給するための構成部分を示し、バイアス電源パッド３１を二つのパッド３１ａ，３１ｂによって構成し、バイアス電流供給パッド２２にボンディング接続される。二つのバイアス電源パッド３１ａ，３１ｂは、バイアス配線であるバイアス電流供給線２１に対して対称に配置される。
【０１５２】
図２０（ｂ）はバイアス戻り電流を引き抜くための構成部分を示し、グランドパッド３２を二つのパッド３２ａ，３２ｂによって構成し、バイアス電流引き抜きパッド２４にボンディング接続される。二つのグランドパッド３２ａ，３２ｂは、バイアス配線であるバイアス引き抜き線２３に対して対称に配置される。バイアス電源パッド３１ａ，３１ｂ及びグランドパッド３２ａ，３２ｂは並置される。
【０１５３】
図２０（ｃ）は、図２０（ａ）のバイアス電流を供給するための構成部分と図２０（ｂ）のバイアス戻り電流を引き抜くための構成部分とを重ねた状態を示している。この構成によれば、平面上においてバイアス電流供給パッド２２とバイアス電流引き抜きパッド２４とが重なる位置であって、バイアス配線の端点の位置において、バイアス電流の供給とバイアス戻り電流の引き抜きが行われ、さらに、バイアス電流とバイアス引き抜き電流とをバイアス配線に対して対称に振り分けることができる。
【０１５４】
なお、本発明は、前記各実施の形態に限定されるものではない。本発明の趣旨に基づいて種々変形することが可能であり、これらを本発明の範囲から排除するものではない。例えば、複数の集積回路を分離してそれぞれ接地（グランド）させ、これら集積回路に対して直列にバイアス電流を供給するカレントリサイクル回路方式（非特許文献５）に対しても適用することもできる。
【産業上の利用可能性】
【０１５５】
本願発明の超伝導集積回路装置は、超伝導を用いた単一磁束量子（ＳＦＱ）回路や断熱型磁束量子パラメトロン回路等の超伝導集積回路を備えた回路装置の全般に適用することができる。超伝導集積回路を備えた回路装置として、例えば、超伝導集積回路を備えたプロセッサやＤＳＰなどのディジタル集積回路、超伝導集積回路を備えたＡ／Ｄコンバータ回路や電圧標準回路などのミックスドシグナル集積回路等がある。
【符号の説明】
【０１５６】
１    超伝導集積回路装置
２    超伝導集積回路
３    超伝導集積回路チップ
４    パッケージ（チップキャリア）
１０    配線層
１１    基板
１２    グランド面
１２ａ，ｂ    グランド面
１３，１４，１５    配線層
１６    層間絶縁膜
１７    ジョセフソン接合
２１    バイアス電流供給線
２２    バイアス電流供給パッド
２３    バイアス電流引き抜き線
２４    バイアス電流引き抜きパッド
３１    バイアス電源パッド
３２，３３    グランドパッド
４１    第１の配線層の配線
４２    第２の配線層の配線
４３    ビア
１１０    超伝導集積回路
１１１    超伝導集積回路チップ
１１２    グランド面
１１３    直流バイアス電源線
１１４    バイアス電流引き抜き電源線
１１５    回路要素
１２１    バイアス電流供給線
１２２    バイアス電流供給パッド
１２４    グランドパッド
１３０    パッケージ（チップキャリア）
１３１    バイアス電源パッド
１３２，１３２ａ〜１３２ｄ    グランドパッド
Ａ，Ｃ，Ｄ    ボンディング部分
Ｂ    対向面
【図１】
0006396726.tif 000002
【図２】
0006396726.tif 000003
【図３】
0006396726.tif 000004
【図４】
0006396726.tif 000005
【図５】
0006396726.tif 000006
【図６】
0006396726.tif 000007
【図７】
0006396726.tif 000008
【図８】
0006396726.tif 000009
【図９】
0006396726.tif 000010
【図１０】
0006396726.tif 000011
【図１１】
0006396726.tif 000012
【図１２】
0006396726.tif 000013
【図１３】
0006396726.tif 000014
【図１４】
0006396726.tif 000015
【図１５】
0006396726.tif 000016
【図１６】
0006396726.tif 000017
【図１７】
0006396726.tif 000018
【図１８】
0006396726.tif 000019
【図１９】
0006396726.tif 000020
【図２０】
0006396726.tif 000021
【図２１】
0006396726.tif 000022
【図２２】
0006396726.tif 000023
【図２３】
0006396726.tif 000024
【図２４】
0006396726.tif 000025